(57)【要約】【課題】印刷物の処理作業が効率よく行われる印刷装置を提供することにある。【解決手段】ラベル１５が貼付された台紙１６を搬送する台紙搬送ローラ対１９によってラベル１５に印刷する印刷ヘッド２０を有する。ラベル１５が貼付された台紙１６を収納するスタッカ１３を有する。スタッカ１３に用紙ガイド部１４を設け、この用紙ガイド部１４は台紙１６の排出方向に直交して傾斜させることを特徴とする。【選択図】      図３
2006256785.tif 000002
【特許請求の範囲】
【請求項１】
印刷された用紙を収納するスタッカを有する印刷装置において、前記スタッカに用紙ガイド部を設け、この用紙ガイド部は排出方向に直交方向に傾斜させることを特徴とする印刷装置。
【請求項２】
台紙にラベルが貼付された前記台紙を搬送する搬送手段と、この搬送手段によって搬送される前記台紙に貼付された前記ラベルに印刷する印刷部と、前記ラベルが貼付された前記台紙を収納するスタッカを有する印刷装置において、前記スタッカに用紙ガイド部を設け、この用紙ガイド部は排出方向に直交し傾斜を設定させる傾斜設定手段を有することを特徴とする印刷装置。
【請求項３】
請求項１また２記載の印刷装置において、前記用紙ガイド部は、回転し傾斜させることを特徴とする印刷装置。
【請求項４】
請求項１記載の印刷装置において、前記用紙ガイド部は、前記スタッカに支持し傾斜させることを特徴とする印刷装置。
【請求項５】
請求項１または２記載の印刷装置において、前記用紙ガイド部が、右下がりと、左下がりの前記スタッカを用意しておき、装置本体に前記スタッカを着脱自在に取り付けられることを特徴とする印刷装置。
【請求項６】
請求項１〜５のいずれかに記載の印刷装置において、印刷出力の印刷向きを設定する印刷向き設定手段を有することを特徴とする印刷装置。
【発明の詳細な説明】
【技術分野】
【０００１】
本発明は、バーコードプリンタ、連続値札印字装置、ラベルプリンタなどの印刷装置において、単票用紙または連続用紙がカットされた単票用紙をスタックするスタッカを備えた印刷装置に関する。
【背景技術】
【０００２】
従来、プリンタにおいて、複数枚の単票用紙を連続して印刷を行う場合、単票用紙を積層状態で収納し、一枚ずつプリンタの印刷部に給送するようにしたホッパと、印刷後に印刷部から排出された単票用紙を積層状に収容するスタッカをプリンタに着脱自在に装着している。
【０００３】
また、ホッパから印刷部に給紙し、印刷部が送出する用紙を排出方向切り替え部によって縦横に切り替える。（たとえば、特許文献１参照）。
【特許文献１】特開平１０−６５８６号公報
【発明の開示】
【発明が解決しようとする課題】
【０００４】
しかし、従来の印刷装置のスタッカは、用紙の受け台が平面に形成されている。このため、たとえば、印刷装置で印刷された用紙を取り出すとき、取り出しにくかった。また、封筒に貼り付ける場合、台紙に貼り付けられたラベルを剥がし、封筒に貼り付ける作業が手庭よく行われなかった。
【０００５】
本発明は、印刷物の処理作業が効率よく行われる印刷装置を提供することにある。
【課題を解決するための手段】
【０００６】
本発明の印刷装置は、印刷された用紙を収納するスタッカを有する印刷装置において、前記スタッカに用紙ガイド部を設け、この用紙ガイド部は排出方向に直交し、いずれの方向に傾斜する傾斜手段を有することを特徴とする。また、台紙にラベルが貼付された前記台紙を搬送する搬送手段によって前記台紙に貼付された前記ラベルに印刷する印刷部と、前記ラベルが貼付された前記台紙を収納するスタッカを有する印刷装置において、前記スタッカに用紙ガイド部を設け、この用紙ガイド部は排出方向に直交して傾斜する傾斜手段を有することを特徴とする。
【発明の効果】
【０００７】
本発明によれば、印刷物の処理の作業性および操作速度が向上するようになった。
【発明を実施するための最良の形態】
【０００８】
以下、本発明の一実施の形態について図面を参照して説明する。
【０００９】
図１は本発明を実施の形態に係る印刷装置の構成を示す。
【００１０】
図１は、印刷装置の斜視図であり、印刷装置１１は、装置本体１２にスタッカ１３が着脱自在に取り付けら、このスタッカ１３には用紙ガイド１４が着脱自在に設けられている。
【００１１】
図２の印刷装置１１の装置本体１２には、予め所定の大きさにカットされたラベル１５が所定ピッチで貼られた台紙１６を支持部１７により巻き取り保持した台紙供給部１８、台紙１６を搬送する台紙搬送ローラ対１９、台紙搬送ローラ対１９で搬送されるラベル１５の印刷面に所定の印刷データを印刷する印刷ヘッド２０、台紙１６を所定の長さにカットするカッタ２１、カットされた台紙１６を受ける前記スタッカ１３、このスタッカ１３の台紙１６の排出方向に直交する位置に着脱自在に設けた用紙ガイド１４、この用紙ガイド１４の挿入位置に対応してラベル１５の印刷向きを設定する印刷上向きモード２２または印刷下向きモード２３、印刷出力のイメージを表示する表示部２４、印刷数を入力する入力部２５、電源２６、プリント回路板２７および印刷装置全体を制御する制御部２８から構成されている。なお、ラベル１５と台紙１６が一体になった用紙をもちいてもよい。
【００１２】
図３は、印刷装置１１の正面図であり、装置本体１２に取り付けたスタッカ１３に用紙ガイド１４が右下がりに取り付けたものである。スタッカ１３の両側部３０には４箇所の溝部３１が設けられ、溝部３１の２箇所に用紙ガイド１４が挿入し取り付けられている。図４は、用紙ガイド１４が右下がり状態に設定したとき印刷ヘッド２０で印刷した結果で、ラベル１５の文字が上向きに出力された図である。
【００１３】
図３に示すように、通常、右手で台紙１６を取る場合にとりやすい傾きは右下がりである。
【００１４】
図５は、印刷装置１１の正面図であり、装置本体１２に取り付けたスタッカ１３に用紙ガイドが左下がりに取り付けたものである。図３と同様に、図５に示すように、スタッカ１３の両側部３０には４箇所の溝部３１が設けられ、溝部３１の２箇所に用紙ガイド１４が挿入し取り付けられている。
【００１５】
図６は、用紙ガイド１４が左下がり状態に設定したとき印刷ヘッド２０で印刷した結果で、ラベル１５の文字が下向きに出力された図である。図４とは逆さの反対向きに印刷されている。
【００１６】
つぎに、スタッカ１３の他の実施形態について図７、図８を参照して説明する。
【００１７】
図７は、印刷装置１１の一部を断面した正面図であり、図８は、図７のスタッカ１３の側断面を示す図である。
【００１８】
図７、図８に示すように、スタッカ１３の前端部３２と後端部３３に軸３４を有する用紙ガイド１４を回動するように取け付けている。前端部３２の軸３４の先端には、図示しないねじが設けられている。このねじに蝶ナット３５で締め付け、用紙ガイド１４を回転し最適な傾斜に設定して固定することができる。このように構成にすることで、用紙ガイド１４を右下がり、左下がりの傾斜度を簡単な操作で実現できる。
【００１９】
次に、たとえば、台紙１６からラベル１５を剥がして封筒等に貼り付ける場合について説明する。
【００２０】
図９は、印刷装置の出力されたラベルと封筒の配置関係を示す。
【００２１】
印刷出力の印刷向き設定部の印刷上向きモード２２と印刷下向きモード２３のどちらかを選択し設定することができる。図９に示すように、ラベル１５の印刷出力が上向きラベルと下向きラベルに出力することができる。すなわち、オペレータは、用紙ガイド１４を右下がりまたは左下がりにセットし、台紙１６からラベル１５を剥がして封筒等に貼り付けることができる。さらに、ラベル１５の印刷方向を上向きまたは、下向きを選択することによりさらに作業性があがる。
【００２２】
オペレータの癖などでやりやすい組み合わせをすることにより台紙１６からラベル１５を剥がす作業、封筒に貼り付けの作業性が向上する。
【００２３】
なお、本実施の形態では、連続用紙で説明したが単票紙を用いて単票収納部から搬送ローラ対で印刷ヘッドに搬送してもよい。
【００２４】
なお、本発明は前記実施の形態に限定されるものではなく、実施の段階ではその趣旨を逸脱しない範囲で種々に変形することが可能であるのは勿論である。
【図面の簡単な説明】
【００２５】
【図１】本発明の一実施の形態に係る印刷装置の外観を示す斜視図。
【図２】本発明の一実施の形態に係る印刷装置の概略構成を示すブロック図。
【図３】本発明の一実施の形態に係る印刷装置の用紙ガイドを右下がりにした正面図。
【図４】図３におけるラベルに印刷した出力を表した図。
【図５】本発明の一実施の形態に係る印刷装置の用紙ガイドを左下がりにした正面図。
【図６】図５におけるラベルに印刷した出力を表した図。
【図７】本発明の他の実施の形態に係る印刷装置の用紙ガイドの一部を示す断面図。
【図８】図７における側断面図。
【図９】本発明の一実施の形態に係るラベルの分離と貼り付けを説明する図。
【符号の説明】
【００２６】
１２…装置本体、１３…スタッカ、１４…用紙ガイド部、１５…ラベル、１６…台紙、１９…搬送ローラ対（搬送手段）、２０…印刷ヘッド（印刷部）、３１…溝部（傾斜設定手段）、３５…蝶ナット（傾斜設定手段）。
【図１】
2006256785.tif 000003
【図２】
2006256785.tif 000004
【図３】
2006256785.tif 000005
【図４】
2006256785.tif 000006
【図５】
2006256785.tif 000007
【図６】
2006256785.tif 000008
【図７】
2006256785.tif 000009
【図８】
2006256785.tif 000010
【図９】
2006256785.tif 000011